(57)【要約】【課題】台風や強風が来たときでも破損を防止できるフェンスを提供する。【解決手段】支柱１１を備えたフェンス１０であって、前記支柱１１は、下部支柱１２と、前記下部支柱１２の上端に曲折可能に接続された上部支柱１３と、前記下部支柱１２と前記上部支柱１３とを回動可能に連結する連結手段１５と、前記下部支柱１２と前記上部支柱１３とをまっすぐな状態で固定するための固定手段２０と、を備え、前記下部支柱１２と前記上部支柱１３とが前記固定手段２０でまっすぐに固定された使用状態と、前記上部支柱１３が前記下部支柱１２に重なるように折り畳まれた折り畳み状態と、を取り得るようにした。【選択図】図４
2020176417.tif 000002
【特許請求の範囲】
【請求項１】
支柱を備えたフェンスであって、
前記支柱は、下部支柱と、前記下部支柱の上端に曲折可能に接続された上部支柱と、前記下部支柱と前記上部支柱とを回動可能に連結する連結手段と、前記下部支柱と前記上部支柱とをまっすぐな状態で固定するための固定手段と、を備え、
前記下部支柱と前記上部支柱とが前記固定手段でまっすぐに固定された使用状態と、前記上部支柱が前記下部支柱に重なるように折り畳まれた折り畳み状態と、を取り得ることを特徴とする、フェンス。
【請求項２】
前記上部支柱を前記折り畳み状態で固定するための保持手段を備えることを特徴とする、請求項１記載のフェンス。
【請求項３】
前記連結手段は、前記下部支柱および前記上部支柱にそれぞれ取り付けられる一対の接続片を回動可能に連結したものであり、
前記固定手段は、前記一対の接続片を固定可能なネジを備えて構成されており、
前記一対の接続片の一方には、前記ネジを進退可能に取り付けるためのネジ取付部が設けられ、
前記一対の接続片の他方には、前記ネジの先端を係合させるための係合穴が設けられていることを特徴とする、請求項１または２記載のフェンス。
【請求項４】
前記ネジの軸部には、前記支柱からの脱落を防止するための抜け止め部材が取り付けられていることを特徴とする、請求項３記載のフェンス。
【請求項５】
前記ネジの先端と前記係合穴の奥とは、互いに面接触するようにテーパ状に形成されていることを特徴とする、請求項３または４記載のフェンス。
【発明の詳細な説明】
【技術分野】
【０００１】
この発明は、主に屋外に設置されるフェンスに関する。
【背景技術】
【０００２】
従来、住宅の敷地に目隠しなどの目的でフェンスを設置することが行われている。例えば、特許文献１に記載されているようなルーバーフェンスを庭に設置することが行われている。
【先行技術文献】
【特許文献】
【０００３】
【特許文献１】特開２０１３−２２７７５３号公報
【発明の概要】
【発明が解決しようとする課題】
【０００４】
しかし、上記したような従来のフェンスは、パネル面で風を受けることになるため、台風や強風などで破損するおそれがあった。
そこで、本発明は、台風や強風が来たときでも破損を防止できるフェンスを提供することを課題とする。
【課題を解決するための手段】
【０００５】
本発明は、上記した課題を解決するためになされたものであり、支柱を備えたフェンスであって、前記支柱は、下部支柱と、前記下部支柱の上端に曲折可能に接続された上部支柱と、前記下部支柱と前記上部支柱とを回動可能に連結する連結手段と、前記下部支柱と前記上部支柱とをまっすぐな状態で固定するための固定手段と、を備え、前記下部支柱と前記上部支柱とが前記固定手段でまっすぐに固定された使用状態と、前記上部支柱が前記下部支柱に重なるように折り畳まれた折り畳み状態と、を取り得ることを特徴とする。
【発明の効果】
【０００６】
本発明は上記の通りであり、下部支柱と上部支柱とが固定手段でまっすぐに固定された使用状態と、上部支柱が下部支柱に重なるように折り畳まれた折り畳み状態と、を取り得るように構成されている。このような構成によれば、通常時は使用状態としておく一方で、台風が来たときなどに一時的に折り畳み状態にすることができる。折り畳み状態にすれば、フェンスが風を受ける面積が減少するので、破損のリスクを減少することができる。
【図面の簡単な説明】
【０００７】
【図１】使用状態のフェンスの外観図である。
【図２】別の方向から見た使用状態のフェンスの外観図である。
【図３】図２における（ａ）Ａ部拡大図、（ｂ）Ｂ部拡大図である。
【図４】折り畳み中のフェンスの外観図である。
【図５】図４における（ａ）Ｃ部拡大図、（ｂ）Ｄ部拡大図である。
【図６】折り畳み状態のフェンスの外観図である。
【図７】図６における（ａ）Ｅ部拡大図、（ｂ）Ｆ部拡大図である。
【図８】図６におけるＧ部拡大図である。
【図９】（ａ）連結手段および固定手段の分解図、（ｂ）第１接続片とネジとの関係を示す断面図である。
【発明を実施するための形態】
【０００８】
本発明の実施形態について、図を参照しながら説明する。
本実施形態に係るフェンス１０は、庭などの屋外に配置されるものであり、フェンス１０の外部からの視界を遮って目隠しができるように構成されている。本実施形態に係るフェンス１０は、図１に示すように、支柱１１と、パネル３０と、脚部３５と、保持手段３７と、を備えて構成される。
【０００９】
支柱１１は、地面に立設されてパネル３０を支持するためのものであり、本実施形態に係るフェンス１０は、所定の間隔を設けて配置される２本の支柱１１を備えている。ただし、支柱１１の本数は２本に限らず、３本以上であってもよい。例えばフェンス１０の横幅を大きくしたい場合には、支柱１１の数を増やして、各支柱１１の間にパネル３０を配置すればよい。
この支柱１１は、下部支柱１２と、上部支柱１３と、連結手段１５と、固定手段２０と、を備える。
【００１０】
下部支柱１２は、下端部が地面に臨むように配置される長尺部材である。本実施形態に係る下部支柱１２は、アルミ等の金属で形成された角パイプである。この下部支柱１２は、下端部付近に取り付けられたＬ字形の脚部３５によって地面に立設されている。これにより、下部支柱１２は地面に対して略垂直な状態で固定されている。
【００１１】
上部支柱１３は、下部支柱１２の上端に接続される長尺部材である。本実施形態に係る上部支柱１３は、アルミ等の金属で形成された角パイプであり、下部支柱１２と同じ太さで形成され、かつ、ほぼ同じ長さで形成されている。この上部支柱１３は、下端部付近に設けられた連結手段１５によって、下部支柱１２の上端に曲折可能に接続されている。なお、この上部支柱１３の上端付近には、後述する保持手段３７に係合させるためのピン１３ａが突出形成されている。本実施形態に係るピン１３ａは、上部支柱１３の内側面（パネル３０の取付面）に設けられている。
【００１２】
連結手段１５は、下部支柱１２と上部支柱１３とを回動可能に連結するためのものである。本実施形態に係る連結手段１５は、下部支柱１２および上部支柱１３にそれぞれ取り付けられる一対の接続片を回動可能に連結したものである。具体的には、この連結手段１５は、図３等に示すように、下部支柱１２に取り付けられる第１接続片１６と、上部支柱１３に取り付けられる第２接続片１７と、第１接続片１６と第２接続片１７とを回動可能に連結する回動軸１８と、を備える。
第１接続片１６は、図９に示すように、挿入部１６ａと、ヒンジ部１６ｂと、ネジ取付部１６ｃと、を備える。
【００１３】
挿入部１６ａは、下部支柱１２の上端部から下部支柱１２の中空部に挿入される部分である。この挿入部１６ａが下部支柱１２に挿入されて固定されることで、第１接続片１６は下部支柱１２の上端部に固定されている。
【００１４】
ヒンジ部１６ｂは、回動軸１８を挿通するための貫通孔が形成された部分である。このヒンジ部１６ｂは、回動軸１８によって後述する第２接続片１７のヒンジ部１７ｂと回動可能に連結される。これにより、第１接続片１６はヒンジ部１６ｂを中心に回動自在となっている。
【００１５】
ネジ取付部１６ｃは、後述するネジ２１を進退可能に取り付けるための部分である。このネジ取付部１６ｃには、ネジ２１を挿通可能な取付穴１６ｄが貫通形成されている。この取付穴１６ｄは、回動軸１８と平行に設けられている。また、この取付穴１６ｄは、図９（ｂ）に示すような段穴形状であり、小径のメネジ部１６ｅと、大径の大径部１６ｆと、からなる。なお、メネジ部１６ｅの内周面には、ネジ２１と螺合するメネジが形成されている。
【００１６】
第２接続片１７は、図９に示すように、挿入部１７ａと、ヒンジ部１７ｂと、ネジ受部１７ｃと、を備える。
【００１７】
挿入部１７ａは、上部支柱１３の下端部から上部支柱１３の中空部に挿入される部分である。この挿入部１７ａが上部支柱１３に挿入されて固定されることで、第２接続片１７は上部支柱１３の下端部に固定される。
【００１８】
ヒンジ部１７ｂは、回動軸１８を挿通するための貫通孔が形成された部分である。このヒンジ部１７ｂは、回動軸１８によって第１接続片１６のヒンジ部１６ｂと回動可能に連結される。これにより、第２接続片１７はヒンジ部１７ｂを中心に回動自在となっている。
【００１９】
ネジ受部１７ｃは、後述するネジ２１の先端を係合させるための部分である。このネジ受部１７ｃには、前述した取付穴１６ｄと平行に係合穴１７ｄが形成されている。この係合穴１７ｄは、ネジ２１が挿入されたときにネジ２１の先端が突き当たる底面を有している。
【００２０】
固定手段２０は、下部支柱１２と上部支柱１３とをまっすぐな状態で固定するためのものである。本実施形態に係る固定手段２０は、ネジ２１と、このネジ２１に取り付けられた抜け止め部材２２と、を備えて構成されている。
【００２１】
ネジ２１は、第１接続片１６と第２接続片１７とを固定するためのものであり、図９に示すように、頭部に形成された摘み部２１ａと、軸部２１ｂと、を備える。
摘み部２１ａは、円筒状に形成されており、人の手で摘まんで回転操作できるようになっている。
【００２２】
また、軸部２１ｂは、オネジ部２１ｃと非ネジ部２１ｄとを備えている。オネジ部２１ｃは、上記した取付穴１６ｄのメネジ部１６ｅと螺合するオネジが形成された部分であり、軸部２１ｂの軸方向に見て根本側に配置されている。一方、非ネジ部２１ｄは、表面にネジがきられていない円筒状の部分であり、軸部２１ｂの軸方向に見て先端側に配置されている。この非ネジ部２１ｄには、後述する抜け止め部材２２を取り付けるための周溝２１ｅが形成されている。また、この非ネジ部２１ｄの先端（すなわちネジ２１の先端）は、角が面取りされたテーパ状のテーパ部２１ｆとなっている。
【００２３】
抜け止め部材２２は、ネジ２１の軸部２１ｂ（非ネジ部２１ｄの周溝２１ｅ）に取り付けられるリング状の部材である。この抜け止め部材２２は、段穴形状に形成された取付穴１６ｄの段差に係合することで、ネジ２１が支柱１１から脱落することを防止するためのものである。
【００２４】
上記したネジ２１は、回転することにより軸方向に進退可能となっている。そして、ネジ２１が先端方向に進むことで、上述した係合穴１７ｄの内部に進入可能となっている。
【００２５】
すなわち、上記した係合穴１７ｄは、図２に示すように第１接続片１６と第２接続片１７とが一直線に配置されたときに（言い換えると、図３に示すように第１接続片１６の上面と第２接続片１７の下面とが接合したときに）、取付穴１６ｄと同軸で連続するように構成されている。このように係合穴１７ｄと取付穴１６ｄとが同軸で連続している状態でネジ２１を進退させることで、ネジ２１の先端が係合穴１７ｄの内部に進入した係合状態や、ネジ２１が係合穴１７ｄに入っていない非係合状態をとりうるようになっている。ネジ２１が係合穴１７ｄに係合した状態では、第１接続片１６と第２接続片１７との回動が妨げられるので、両者の位置を固定することができる。
【００２６】
具体的には、作業者がネジ２１の摘み部２１ａを持って所定の方向に回転させると、ネジ２１が軸方向に進むことで、ネジ２１の先端が取付穴１６ｄを貫通して突出する。係合穴１７ｄと取付穴１６ｄとが同軸で連続している状態でネジ２１が突出方向に進むと、取付穴１６ｄを貫通したネジ２１の先端が係合穴１７ｄの内部に進入し、ネジ２１と係合穴１７ｄが係合する。このようにネジ２１と係合穴１７ｄとが係合することで、第１接続片１６と第２接続片１７とが互いに回動できないように固定することができる。
【００２７】
なお、本実施形態においては、係合穴１７ｄの奥（底面）は、ネジ２１の先端のテーパ部２１ｆと互いに面接触するようにテーパ状に形成されている。このため、ネジ２１の先端が係合穴１７ｄの奥まで挿入されて係合すると、互いのテーパ状の面が接触して係合した状態となるため、ネジ２１の横振れが抑制されるようになっている。
【００２８】
また、作業者がネジ２１の摘み部２１ａを持って上記所定の方向とは反対の方向に回転させると、ネジ２１が軸方向に退くことで、ネジ２１の先端が取付穴１６ｄの内部に没入する。上記したようにネジ２１の先端が係合穴１７ｄに係合している状態で、このようにネジ２１を取付穴１６ｄの内部に退避させると、ネジ２１と係合穴１７ｄとの係合が解除される。すなわち、第１接続片１６と第２接続片１７とが互いに自由に回動できる状態となる。
【００２９】
パネル３０は、支柱１１の間に取り付けられるものであり、外からの視線を遮って目隠しの目的を果たすためのものである。本実施形態に係るパネル３０は、一対の縦枠材３１の間に複数のルーバー材３２を取り付けたものであり、縦枠材３１を支柱１１に取り付けることでパネル３０を固定している。また、本実施形態に係るパネル３０は、下部支柱１２の間に取り付けられる下パネルと、上部支柱１３の間に取り付けられる上パネルと、に分割されている。
【００３０】
なお、本実施形態におけるパネル３０は上記のとおりであるが、本発明の実施形態はこれに限らず、支柱１１の間に少なくとも目隠し用の部材が配置されていればよい。例えば、縦枠材３１を使用せずに、支柱１１に直接ルーバー材３２を取り付けてもよい。また、目隠しの目的を達成できるのであれば、必ずしもルーバー材３２を使用する必要もない。
【００３１】
脚部３５は、下部支柱１２の下端部に固定される部材であり、支柱１１を垂直に保持するためのものである。本実施形態に係る脚部３５は、図１に示すようなＬ字形の部材である。
【００３２】
保持手段３７は、後述する折り畳み状態で上部支柱１３を固定するためのものである。この保持手段３７は、図８に示すようなアーム状の部材であり、一端部に回転軸３７ａが設けられ、他端部に係合溝３７ｂが設けられてる。この保持手段３７は、下部支柱１２の下端部付近（本実施形態においては脚部３５）に固定された回転軸３７ａを中心に、回転自在に取り付けられている。また、この保持手段３７の係合溝３７ｂは、上部支柱１３に設けられたピン１３ａに係合可能となっている。具体的には、係合溝３７ｂは略コ字形に開口しており、保持手段３７を回転させてピン１３ａに引っ掛けることで、ピン１３ａを保持できるように構成されている。
【００３３】
上記の構成を備えた本実施形態に係るフェンス１０は、図２に示すように、下部支柱１２と上部支柱１３とが固定手段２０でまっすぐに固定された使用状態と、図６に示すように、上部支柱１３が下部支柱１２に重なるように折り畳まれた折り畳み状態と、を取り得るように構成されている。
【００３４】
すなわち、図２および図３に示すように、下部支柱１２の上に上部支柱１３を垂直に立てた状態でネジ２１を締めこむと、ネジ２１の先端が係合穴１７ｄに係合するので、下部支柱１２と上部支柱１３とが固定される。このように下部支柱１２と上部支柱１３とが１本の支柱１１として機能することで、使用状態とすることができる。
【００３５】
フェンス１０を折り畳みたいときには、ネジ２１を緩めてネジ２１を係合穴１７ｄから抜くことにより、下部支柱１２と上部支柱１３とを回動可能とする。これにより、図４および図５に示すように、上部支柱１３を前方（または後方）に倒すことができる。
【００３６】
上部支柱１３を１８０度倒すと、図６および図７に示すように、上部支柱１３が下部支柱１２に重なるように折り畳まれた折り畳み状態となる。なお、図８に示すように、保持手段３７を回転させて係合溝３７ｂを上部支柱１３のピン１３ａに引っ掛ければ、上部支柱１３を下部支柱１２に対して開き方向に回動できなくなるので、折り畳み状態を維持することができる。
【００３７】
このように本実施形態によれば、下部支柱１２と上部支柱１３とが固定手段２０でまっすぐに固定された使用状態と、上部支柱１３が下部支柱１２に重なるように折り畳まれた折り畳み状態と、を取り得るように構成されている。このため、通常時は使用状態としておく一方で、台風が来たときなどに一時的に折り畳み状態にすることができる。折り畳み状態にすれば、フェンス１０が風を受ける面積が減少するので、破損のリスクを減少することができる。
【符号の説明】
【００３８】
１０  フェンス
１１  支柱
１２  下部支柱
１３  上部支柱
１３ａ  ピン
１５  連結手段
１６  第１接続片
１６ａ  挿入部
１６ｂ  ヒンジ部
１６ｃ  ネジ取付部
１６ｄ  取付穴
１６ｅ  メネジ部
１６ｆ  大径部
１７  第２接続片
１７ａ  挿入部
１７ｂ  ヒンジ部
１７ｃ  ネジ受部
１７ｄ  係合穴
１８  回動軸
２０  固定手段
２１  ネジ
２１ａ  摘み部
２１ｂ  軸部
２１ｃ  オネジ部
２１ｄ  非ネジ部
２１ｅ  周溝
２１ｆ  テーパ部
２２  抜け止め部材
３０  パネル
３１  縦枠材
３２  ルーバー材
３５  脚部
３７  保持手段
３７ａ  回転軸
３７ｂ  係合溝
【図１】
2020176417.tif 000003
【図２】
2020176417.tif 000004
【図３】
2020176417.tif 000005
【図４】
2020176417.tif 000006
【図５】
2020176417.tif 000007
【図６】
2020176417.tif 000008
【図７】
2020176417.tif 000009
【図８】
2020176417.tif 000010
【図９】
2020176417.tif 000011